(57)【特許請求の範囲】
【請求項１】
枠内において前後２枚の筆記板を、前記枠の側枠上部に設置されたホイールに掛け回されたチェーン等の連結材を介して、交互に上下動可能にしたスライド式筆記板であって、前記２枚の筆記板のうち少なくとも前側の筆記板はスクリーン兼用のものとし、前記筆記板の上下動を支持するために前記側枠内面に縦方向に延びるように設置されるガイドのうち、一番手前側のガイドの上半部を手前側に傾斜させ、前記ホイールの作用で前記前側の筆記板が前記一番手前側のガイドの傾斜部に沿って上昇可能となるようにしたことを特徴とするスクリーン機能を兼ね備えたスライド式筆記板。
【請求項２】
前記ホイールは、２つ並設される請求項１に記載のスクリーン機能を兼ね備えたスライド式筆記板。
【発明の詳細な説明】
【技術分野】
【０００１】
本発明は、スクリーン機能を兼ね備えたスライド式筆記板、より詳細には、筆記板が本来の黒板やホワイトボード等の機能の他に、プロジェクター等用の映写スクリーンとしての機能をも有する、上下スライド式の筆記板に関するものである。
【背景技術】
【０００２】
講義や授業、会議等に際しては、筆記用の黒板やホワイトボードと共に、プロジェクター等による映写用のスクリーンが用いられることがしばしばある。スクリーンとしては一般に、天井から吊下される巻上式のものや、スタンド式のものが用いられる。
【０００３】
このように、黒板やホワイトボードの他に別途スクリーンを用意することは、コスト面や設置スペース等の問題や、セッティングの煩わしさ等の面で問題がある。そこで最近は、黒板やホワイトボード等の筆記板とスクリーンとを兼用にしたものが出回ってきている（特許第２５１０８０９号公報、特許第３３４８６９６号公報等）。
【０００４】
また、広い筆記範囲を確保すると共に、筆記された事項の十分な参照時間と書き写し時間とを確保するために、スライド式黒板が用いられている。
【０００５】
図４はそのスライド機構を示すもので、木製又はアルミニウム製の枠５１の一方又は双方の側枠５２の上部にホイール（スプロケット）５３が取り付けられ、ホイール５３にチェーン５４が掛けられる。そして、チェーン５４の各端が、枠５１内前後に配置されたいずれかの黒板５５、５６の側部に固定される。また、側枠５２の内面には、黒板５５、５６の上下動を支持する３本のガイド５７が設置される。
【０００６】
かくして、前側の黒板５５を引き下げると後側の黒板５６がガイド５７、５７間に支持されて上昇し、前側の黒板５５を押し上げると後側の黒板５６がガイド５７、５７間に支持されて下降する。このような操作をして、下側に位置する黒板に筆記する。
【０００７】
スクリーン映像を見ながら、説明等のために筆記をする必要がある場合もあることから、この上下スライド式黒板の構成に、上記スクリーン兼用黒板の構成を盛り込むことが考えられる。その場合、後方の席からも見やすくするために、スクリーン兼用黒板は上方に位置させることが一般である。しかし、その位置が上方であればある程、プロジェクター等からの投光角度がスクリーン面に対して直角よりも小さくなっていき、スクリーン映像がぼやけたものとなっていく。
【０００８】
【特許文献１】特許第２５１０８０９号公報
【特許文献２】特許第３３４８６９６号公報
【発明の開示】
【発明が解決しようとする課題】
【０００９】
本発明は、上記のような、スクリーン兼用黒板を用いた上下スライド式黒板における問題点を解決するためになされたものであって、通常の上下スライド式筆記板として広範囲な筆記面を確保することができ、別途スクリーンを用意することなくプロジェクター等用のスクリーンとして利用することが可能で、しかも当該スクリーン面を上方に位置させたとしても、スクリーン映像がぼやけることなく明瞭に視認可能なスクリーン機能を備えたスライド式筆記板を提供することを課題とする。
【課題を解決するための手段】
【００１０】
上記課題を解決するための本考案に係るスクリーン機能を兼ね備えたスライド式筆記板は、枠内において前後２枚の筆記板を、前記枠の側枠上部に設置されたホイールに掛け回されたチェーン等の連結材を介して、交互に上下動可能にしたスライド式筆記板であって、前記２枚の筆記板のうち少なくとも前側の筆記板はスクリーン兼用のものとし、前記筆記板の上下動を支持するために前記側枠内面に縦方向に延びるように設置されるガイドのうち、一番手前側のガイドの上半部を手前側に傾斜させ、前記ホイールの作用で前記前側の筆記板が前記一番手前側のガイドの傾斜部に沿って上昇可能となるようにしたことを特徴とする。好ましくは前記ホイールは、２つ並設することとする。
【発明の効果】
【００１１】
本発明は上述した通りであって、本発明に係るスクリーン機能を兼ね備えたスライド式筆記板においては、スクリーン機能を兼ね備えた筆記板であることから、筆記板をスクリーンとしても使用することができる。また、前記筆記板を２枚使用し、そのうち、前側に配置される筆記板は、上側にスライドさせた際に前方に傾くため、プロジェクター等からの投光を直角又はそれに近い角度にて当てることができる。そのため、スクリーン映像がぼやけることがなく、明瞭に見ることが可能となる。スクリーンとして使用していない下方に位置する後側の筆記板は、通常の筆記板として利用することができ、資料等を映し出すと同時に、関係資料等の説明を後側の筆記板に記すことができるという効果がある。
【発明を実施するための最良の形態】
【００１２】
本発明を実施するための最良の形態について、添付図面に依拠して説明する。図１及び図２は、本発明に係るスクリーン機能を兼ね備えたスライド式筆記板１の一実施形態の側面縦断面図、図３はその部分拡大図であり、スライド式筆記板１は、従来のものと同様に、取付金具を用いて壁等に設置される。
【００１３】
スライド式筆記板１における筆記板３、４には黒板、ホワイトボード等が含まれ、木製又はアルミニウム製の四角形の枠２内の前後に一対配置される。前側筆記板３と後側筆記板４のうちの少なくとも前側筆記板３は、スクリーン機能を兼ね備えたものとされる。
【００１４】
筆記板３、４にスクリーン機能を持たせるには、例えば、特許第２５１０８０９号公報に開示されているセラミックコーティング材を塗布する等の公知の方法を用いることができる。
【００１５】
筆記板３、４を上下にスライドさせる構成は、基本的には従来のものと変わりはない。即ち、枠２の一方又は双方の側枠５の上部に、スプロケット、プーリ等のホイール６が設置され、ホイール６にチェーン７等の連結材が掛け回される。そして、チェーン７の端部がそれぞれ、いずれかの筆記板３、４の側部に固定され、また、側枠５の内面に、縦方向に延びて筆記板３、４の上下動動作を支持する３本のガイド８−１０が設置される。
【００１６】
本願発明においては、この３本のガイド８−１０のうち、中間及び奥のガイド９、１０は従来のものと変わりないが、一番手前のガイド８は中程から屈曲され、上半部が手前側に傾斜するようにされる。これに対応してホイール６は、図示したように２つ並設されるか、その２つ並設したホイール６に相当する径の大径ホイールとされる。
【００１７】
このような構成の場合、前側筆記板３は従来のものと同様に、後側筆記板４を引き下げることによって当初垂直に上昇していくが、その間その上部は、ホイール６の位置（又は径）関係から、手前側に引張られるような作用を受けて傾倒しようとするが、ガイド９、１０に挟まれて動きを規制されるため、垂直に上昇していく。そして、その下部がガイド８の中間折曲部付近に達したところでガイド９、１０による規制から脱し、上記引張り作用によって傾倒させられて、ガイド８の上半部に沿った傾斜状態となる。
【００１８】
かくして、プロジェクター等からの投光が直角に近い角度に当たることになり、鮮明なスクリーン映像が得られる。もちろん、前側筆記板３を本来の筆記板として用い、上方に位置させた場合においても、筆記文字等が見やすい状態となる。
【００１９】
なお、図中１１は枠１の下部に取り付けられた粉受けを、また、１２は筆記板３、４の上面に取り付けられた緩衡部材を示している。
【００２０】
この発明をある程度詳細にその最も好ましい実施形態について説明してきたが、この発明の精神と範囲に反することなしに広範に異なる実施形態を構成することができることは明白なので、この発明は添付特許請求の範囲において限定した以外はその特定の実施形態に制約されるものではない。
【図面の簡単な説明】
【００２１】
【図１】本発明に係るスクリーン機能を兼ね備えたスライド式筆記板の一実施形態の側面縦断面図（前側筆記板が下側にあるとき）である。
【図２】本発明に係るスクリーン機能を兼ね備えたスライド式筆記板の一実施形態の側面縦断面図（前側筆記板が上側にあるとき）である。
【図３】本発明に係るスクリーン機能を兼ね備えたスライド式筆記板の要部拡大図である。
【図４】従来のスライド式黒板の構成例を示す側面縦断面図である。
【符号の説明】
【００２２】
１      スライド式筆記板
２      枠
３      前側筆記板
４      後側筆記板
５      側枠
６      ホイール
７      チェーン
８      ガイド
９      ガイド
１０    ガイド
１１    粉受け
１２    緩衡部材
【図１】
0004777156.tif 000002
【図２】
0004777156.tif 000003
【図３】
0004777156.tif 000004
【図４】
0004777156.tif 000005